(57)【要約】【課題】受信側機器に接続されている送信側機器のうち、どの送信側機器がコンテンツを送信している機器なのかをユーザに知らせる送信側機器を実現する。【解決手段】携帯電話端末１は、受信側機器にコンテンツを供給する機器が自器であるか否かを、受信側機器から受信した通信接続に関する信号に基づいて確認する機器選択確認部１２１と、機器選択確認部１２１による確認結果に基づいて、携帯電話端末１が選択されたことをユーザが識別可能な状態に遷移させるよう指示する通知駆動部１２２と、通知駆動部１２２にて指示された内容に従って、受信側機器から携帯電話端末１が選択されたことをユーザが識別可能な状態に遷移させる通知部１５０と、を備えている。【選択図】図１
2012019463.tif 000002
【特許請求の範囲】
【請求項１】
受信側機器が出力するコンテンツを、該受信側機器に供給する送信側機器であって、
上記受信側機器にコンテンツを供給する機器が当該送信側機器であるか否かを、上記受信側機器から受信した通信接続に関する信号に基づいて確認する機器選択確認手段と、
上記機器選択確認手段による確認結果に基づいて、当該送信側機器が選択されたことをユーザが識別可能な状態に当該送信側機器を遷移させるよう指示する通知駆動手段と、
上記通知駆動手段にて、指示された内容に従って、上記受信側機器から当該送信側機器が選択されたことをユーザが識別可能な状態に当該送信側機器を遷移させる通知手段と、を備えていることを特徴とする送信側機器。
【請求項２】
上記受信側機器に通信接続される上記送信側機器の数は、複数であることを特徴とする請求項１に記載の送信側機器。
【請求項３】
上記通知手段は、発光部を備え、
上記通知駆動手段にて指示された内容に従って、上記発光部を点灯もしくは点滅させることを特徴とする請求項１または２に記載の送信側機器。
【請求項４】
上記通知手段は、上記送信側機器に設けられた表示部の光源としてのバックライトを含み、
上記通知駆動手段にて指示された内容に従って、上記バックライトを点灯もしくは点滅させることを特徴とする請求項１または２に記載の送信側機器。
【請求項５】
上記通知手段は、表示画面を含み、上記通知駆動手段にて指示された内容に従って、当該送信側機器が、上記受信側機器から選択されたことを上記表示画面に表示することを特徴とする請求項１または２に記載の送信側機器。
【請求項６】
上記通知駆動手段が上記通知手段に指示をするタイミングは、上記機器選択確認手段にて当該送信側機器が上記受信側機器へコンテンツを送信する機器であると選択されたことを確認したときである、ことを特徴とする請求項１から５までの何れか１項に記載の送信側機器。
【請求項７】
上記通知駆動手段が上記通知手段に指示をするタイミングは、上記機器選択確認手段にて当該送信側機器が上記受信側機器へコンテンツを送信する機器であると選択されたことを確認し、上記機器選択確認手段が確認できたことを上記受信側機器へ通知したときである、ことを特徴とする請求項１から５までの何れか１項に記載の送信側機器。
【請求項８】
上記通知手段にて、上記受信側機器から当該送信側機器が選択されたことをユーザが識別可能な状態に遷移させた当該送信側機器を、元の状態に遷移させる終了手段を備え、
上記終了手段は、上記受信側機器から当該送信側機器以外の機器が選択されたとき、当該送信側機器を元の状態に遷移させることを特徴とする請求項１から７までの何れか１項に記載の送信側機器。
【請求項９】
上記送信側機器は、携帯電話端末であることを特徴とする請求項１から８の何れか１項に記載の送信側機器。
【請求項１０】
上記送信側機器は、ＨＤＭＩ（High-Definition Multimedia Interface）を介して受信側機器に接続されていることを特徴とする請求項１から９までの何れか１項に記載の送信側機器。
【請求項１１】
受信側機器にコンテンツを供給する送信側機器が、上記受信側機器にコンテンツを送信することが決定したことに応じて、ユーザに識別可能な状態に遷移することを特徴とする送信側機器の識別方法。
【請求項１２】
請求項１に記載の送信側機器と、該送信側機器から供給されたコンテンツを出力する受信側機器とを含むシステム。
【請求項１３】
コンピュータを請求項１から１０までの何れか１項に記載の送信側機器として動作させるためのプログラムであって、上記コンピュータを上記送信側機器が備えている上記各手段として機能させるプログラム。
【請求項１４】
請求項１３に記載のプログラムが記録されたコンピュータ読み取り可能な記録媒体。
【発明の詳細な説明】
【技術分野】
【０００１】
本発明は、受信側機器にコンテンツを供給する送信側機器、そのような送信側機器の識別方法、及び、そのような送信側機器と受信側機器とを含むシステムに関する。また、コンピュータをそのような送信側機器として動作させるためのプログラム、及び、そのようなプログラムが記録された記録媒体に関する。
【背景技術】
【０００２】
近年、ＨＤＭＩ（High-Definition Multimedia Interface）を搭載するテレビが普及し、テレビとソース機器とをＨＤＭＩケーブルを介して接続することが一般的となっている。ＨＤＭＩケーブルを介して接続されたテレビとソース機器とは、映像信号および音声信号に加え、ＣＥＣ（Consumer Electronics Control）コマンドを互いに送受信する。
【０００３】
ＣＥＣコマンドを用いれば、テレビからソース機器を制御したり、ソース機器からテレビを制御したりすることによって、これまでにはなかった利便性をユーザに提供することが可能になる。例えば、テレビの入力ソースを、コンテンツの再生を開始したソース機器に自動的に切り替えることができる。ＨＤＭＩの詳細については、例えば、非特許文献１を参照されたい。
【０００４】
また、Ｍｉｃｒｏ・ＨＤＭＩコネクタが規格化されたことに伴い、今後、携帯機器とテレビとをＨＤＭＩ接続し、携帯機器にて再生されたコンテンツをテレビに表示するといったユースケースの増加が想定される。例えば、昨今の携帯電話端末は、静止画コンテンツ、動画コンテンツ、及び音声コンテンツを再生する機能を有しており、ソース機器として利用することができる。ＰＤＡ、携帯型デジタルオーディオプレーヤ、デジタルカメラ等の携帯機器も同様である。
【０００５】
なお、テレビと接続された機器のメーカ名やカテゴリ、機器名をテレビに表示するための技術として、特許文献１に記載のものなどが知られている。
【先行技術文献】
【特許文献】
【０００６】
【特許文献１】特開２００８−３５１８９号公報（平成２０年２月１４日公開）
【非特許文献】
【０００７】
【非特許文献１】High-Definition Multimedia Interface Specification Version 1.4a,March 4 2010
【発明の概要】
【発明が解決しようとする課題】
【０００８】
しかしながら、上述の技術では、複数の同じメーカの同じカテゴリの機器をＨＤＭＩ接続するとき、機器の区別は枝番で表示されるに過ぎなかった。図８のテレビの入力切替メニュー６０を用いて例示すると、外部機器表示名６１で示されるように、「○○レコーダ１（Ｓ社）」及び「○○レコーダ２（Ｓ社）」と表示される。そのため、テレビに複数の同じメーカで同じ機種の携帯電話端末を接続した場合、図９のような入力切替メニュー９０が表示される。
【０００９】
従って、どの端子にどの携帯電話端末がつながっているのかは、テレビに表示されている映像と携帯電話端末に記録されている映像とを比較することによって確認するか、テレビと携帯電話端末とを接続しているケーブルを確認しないとわからないという問題があった。
【００１０】
本発明は、このような問題を解決するためになされたものであり、その目的は、受信側機器に接続されている送信側機器のうち、どの送信側機器がコンテンツを送信している機器なのかをユーザに知らせる送信側機器を実現することにある。
【課題を解決するための手段】
【００１１】
上記の課題を解決するために、本発明は受信側機器が出力するコンテンツを、該受信側機器に供給する送信側機器であって、上記受信側機器にコンテンツを供給する機器が当該送信側機器であるか否かを、上記受信側機器から受信した通信接続に関する信号に基づいて確認する機器選択確認手段と、上記機器選択確認手段による確認結果に基づいて、当該送信側機器が選択されたことをユーザが識別可能な状態に当該送信側機器を遷移させるよう指示する通知駆動手段と、上記通知駆動手段にて、指示された内容に従って、上記受信側機器から当該送信側機器が選択されたことをユーザが識別可能な状態に当該送信側機器を遷移させる通知手段と、を備えていることを特徴とする。
【００１２】
また、上記課題を解決するために、本発明に係る識別方法は、受信側機器にコンテンツを供給する送信側機器が、上記受信側機器にコンテンツを送信することが決定したことに応じて、ユーザに識別可能な状態に遷移することを特徴とする。
【００１３】
また、上記課題を解決するために、本発明に係るシステムは、上記送信側機器と、上記送信側機器から供給されたコンテンツを出力する上記受信側機器とを含んでいることを特徴とする。
【００１４】
上記構成によれば、送信側機器と受信側機器との間で通信の接続が確立する前に、少なくとも、受信側機器から送信側機器へ通信接続に関する信号が送られる。機器選択確認手段は、通信接続に関する信号に基づいて、上記受信側機器にコンテンツを供給する機器が自器であることを確認し、確認結果を通知駆動手段へ送る。
【００１５】
通知駆動手段は、上記確認結果に基づいて、通知手段に指示を与えると、通知手段は、上記受信側機器から当該送信側機器が選択されたことをユーザが識別可能な状態に当該送信側機器を遷移させる。
【００１６】
これにより、上記受信側機器にコンテンツを供給している機器が、当該送信側機器であることを、ユーザが識別できるため、ユーザは当該送信側機器のコンテンツと上記受信側機器に表示されたコンテンツとを見比べることなく、当該送信側機器が上記受信側機器にコンテンツを供給していることを知ることが出来る。
【００１７】
なお、上記送信側機器および受信側機器は、コンテンツを送受する通信を、有線または無線のあらゆるタイプの通信方式にて行い得る機器であってよい。
【００１８】
また、上記コンテンツには、動画、静止画、文字および音声などのあらゆる情報が含まれる。
【００１９】
さらに、「ユーザが識別可能な状態に当該送信側機器を遷移させる」という通知手段には、例えば、送信側機器に設けたインジケータの点灯、点滅、送信側機器の表示画面の明滅、送信側機器からの音声出力、バイブレーションなど、ユーザが感覚的に識別し得るあらゆる手段が含まれる。
【００２０】
本発明に係る送信側機器に関して、上記受信側機器に通信接続される上記送信側機器の数は、複数であってもよい。
【００２１】
上記構成によれば、上記受信側機器に複数の送信側機器が通信接続される場合においても、上記受信側機器にコンテンツを出力している送信側機器を特定することができ、ユーザは、上記受信側機器に通信接続されている複数の上記送信側機器のうち、どの機器が上記受信側機器にコンテンツを供給している機器であるのかを知ることが出来る。
【００２２】
本発明に係る送信側機器において、上記通知手段は、発光部を備え、上記通知駆動手段にて指示された内容に従って、上記発光部を点灯もしくは点滅させることが好ましい。
【００２３】
上記構成によれば、ユーザは、上記受信側機器にコンテンツを供給している機器が、当該送信側機器であることを、当該送信側機器の発光部の点灯もしくは点滅という簡素な手法によって一目瞭然に知ることが出来る。
【００２４】
本発明に係る送信側機器において、上記通知手段は、上記送信側機器に設けられた表示部の光源としてのバックライトを含み、上記通知駆動手段にて指示された内容に従って、上記バックライトを点灯もしくは点滅させてもよい。
【００２５】
上記構成によれば、ユーザは、上記受信側機器にコンテンツを供給している機器が、当該送信側機器であることを、当該送信側機器のバックライトの点灯もしくは点滅によって知ることが出来る。
【００２６】
本発明に係る送信側機器において、上記通知手段は、表示画面を含み、上記通知駆動手段にて指示された内容に従って、当該送信側機器が、上記受信側機器から選択されたことを上記表示画面に表示してもよい。
【００２７】
上記構成によれば、ユーザは、上記受信側機器にコンテンツを供給している機器が、当該送信側機器であることを、当該送信側機器の表示画面を見ることによって知ることが出来る。
【００２８】
本発明に係る送信側機器において、上記通知駆動手段が上記通知手段に指示をするタイミングは、上記機器選択確認手段にて当該送信側機器が上記受信側機器へコンテンツを送信する機器であると選択されたことを確認したときであることが好ましい。
【００２９】
上記構成によれば、上記受信側機器から当該送信側機器が選択されたことを当該送信側機器が確認したことを、上記受信側機器に知らせない単方向の通信形態で通信している場合においても、ユーザに当該送信側機器が選択されたことを通知することが出来る。
【００３０】
本発明に係る送信側機器において、上記通知駆動手段が上記通知手段に指示をするタイミングは、上記機器選択確認手段にて当該送信側機器が上記受信側機器へコンテンツを送信する機器であると選択されたことを確認し、上記機器選択確認手段が確認できたことを上記受信側機器へ通知したときであってもよい。
【００３１】
上記構成によれば、上記受信側機器から当該送信側機器が選択され、当該送信側機器が確認できたことを上記受信側機器に通知することにより、通信が正常に行われていることが確認できたタイミングで、ユーザに当該送信側機器が選択されたことを通知することが出来る。
【００３２】
本発明に係る送信側機器において、上記通知手段にて上記受信側機器から当該送信側機器が選択されたことをユーザが識別可能な状態に遷移させた当該送信側機器を、元の状態に遷移させる終了手段を備え、上記終了手段は、上記受信側機器から当該送信側機器以外の機器が選択されたとき、当該送信側機器を元の状態に遷移させることが好ましい。
【００３３】
上記構成によれば、上記受信側機器から当該送信側機器が選択されている間、ユーザに当該送信側機器が選択されていることを連続して通知することが出来るため、ユーザは、ユーザの好みのタイミングで当該送信側機器が選択されていることを確認することが出来る。
【００３４】
本発明に係る送信側機器は、携帯電話端末であってもよい。
【００３５】
上記構成によれば、携帯電話端末で利用可能なコンテンツを受信側機器でも利用することが出来る。
【００３６】
本発明に係る送信側機器は、ＨＤＭＩを介して受信側機器に接続されていてもよい。
【００３７】
本発明に係る送信側機器が、ＨＤＭＩケーブルを介して上記受信側機器にコンテンツを供給するソース機器であり、上記受信側機器が、上記ソース機器から供給されたコンテンツを出力するシンク機器である場合、例えば、上記受信機器にコンテンツを供給する機器が当該送信側機器であるか否かは上記ＨＤＭＩケーブルを介して伝送されるＣＥＣコマンドを用いて当該送信側機器が選択されたことを示す情報を取得する構成を採用することができる。
【００３８】
また、上記送信側が備えているコンピュータを動作させるプログラムであって、上記コンピュータを上記の各手段として実行させるためのプログラム、および当該プログラムを記録したコンピュータ読み取り可能な記録媒体も本発明の技術的範囲に含まれる。
【発明の効果】
【００３９】
以上のように、本発明は、受信側機器にコンテンツを供給する送信側機器が、上記受信側機器にコンテンツを送信することが決定したことに応じて、ユーザに識別可能な状態に遷移することを特徴とする。
【００４０】
これにより、上記受信側機器にコンテンツを供給している機器が、当該送信側機器であることがユーザに通知されるため、ユーザは当該送信側機器のコンテンツと上記受信側機器に表示されたコンテンツとを見比べることなく、当該送信側機器が上記受信側機器にコンテンツを供給していることを知ることが出来る。
【図面の簡単な説明】
【００４１】
【図１】本発明の携帯電話端末の構成を示すブロック図である。
【図２】図１に示す携帯電話端末が備えているＨＤＭＩトランスミッタの構成、及び、テレビが備えているＨＤＭＩレシーバの構成を示すブロック図である。
【図３】（ａ）は図１の携帯電話端末を含むシステムの構成例を示す概略図であり、（ｂ）は上記システムにおける通知処理の実行例を示すシーケンス図である。
【図４】図１に示す携帯電話端末における通知処理の流れを示すフローチャートである。
【図５】図１に示す携帯電話端末における通知処理実行時の携帯電話端末の動作例を示す図である。
【図６】（ａ）は図３（ａ）に示すシステムの変形例を示す概略図であり、（ｂ）は上記変形例における通知処理の実行例を示すシーケンス図である。
【図７】（ａ）は図３（ａ）に示すシステムの変形例を示す概略図であり、（ｂ）は上記変形例における通知処理の実行例を示すシーケンス図である。
【図８】テレビの入力切替メニューの一例を示す図である。
【図９】同メーカ、同機種の携帯電話端末がテレビに接続されている場合の、テレビの入力切替メニューの一例を示す図である。
【発明を実施するための形態】
【００４２】
本発明の実施形態について、図面に基づいて説明すれば以下のとおりである。なお、以下の説明においては、送信側機器（ソース機器）として携帯電話端末を例示し、受信側機器（シンク機器）としてテレビジョン受像機（以下「テレビ」と呼称する）を例示するが、本発明はこれに限定されるものではない。特に、携帯電話端末は、ソース機器として機能する携帯機器の一例に過ぎず、本発明は、ＰＤＡ（Personal Digital Assistant）、携帯型デジタルオーディオプレーヤ、デジタルカメラ等の携帯機器にも適用することができる。
【００４３】
〔携帯電話端末の構成〕
本実施形態に係る携帯電話端末１の構成について、図１を参照して説明する。図１は、携帯電話端末１の構成を示すブロック図である。
【００４４】
図１に示すように、携帯電話端末１は、ＨＤＭＩ出力端子１１、ＲＦ部１１１、レシーバ１１２、マイク１１３、カメラモジュール１１４、ベースバンド部１１５、音声コーデック１１６、映像／音声コーデック１１７、マイコン１２０、キー入力部１４３、ＥＥＰＲＯＭ１４４、記憶部１４５、ＭｉｃｒｏＵＳＢ・Ｉ／Ｆ１４６、ＵＳＢ出力端子１４７、Ｂｌｕｅｔｏｏｔｈ・Ｉ／Ｆ１４８、ＷＬＡＮ・Ｉ／Ｆ１４９、通知部１５０、及び、ＨＤＭＩトランスミッタ１３０を備えている。
【００４５】
ＲＦ（Radio Frequency）部１１１は、外部からアンテナを介して受信した高周波電波信号を増幅し、ベースバンド部１１５に供給する。また、ＲＦ部１１１は、ベースバンド部１１５から受信したデジタル信号を高周波変換し、アンテナを介して外部に送信する。
【００４６】
ベースバンド部１１５は、ＲＦ部１１１から受信したデジタル信号を復調し、音声コーデック１１６、または、映像／音声コーデック１１７に供給する。また、ベースバンド部１１５は、音声コーデック１１６から受信した音声データ、または、映像／音声コーデック１１７から受信した音声データ及び映像データをデジタル信号に変調し、ＲＦ部１１１に供給する。
【００４７】
音声コーデック１１６は、ベースバンド部１１５から受信した復調されたデータを音声信号に復号して、音声を出力するレシーバ１１２に供給する。また、音声コーデック１１６は、音声を入力するマイク１１３からの音声信号を音声データに符号化して、ベースバンド部１１５に供給する。
【００４８】
映像／音声コーデック１１７は、ベースバンド部１１５から受信した復調されたデータを音声信号および映像信号に復号する。映像／音声コーデック１１７は、復号した音声信号をレシーバ１１２に供給し、復号した映像信号を通知部１５０のＬＣＤ表示部１５２に供給する。また、映像／音声コーデック１１７は、マイク１１３からの音声信号と静止画像や動画像を撮像するカメラモジュール１１４から供給された映像信号とを符号化し、ベースバンド部１１５に供給する。
【００４９】
キー入力部１４３は、ユーザ操作によるデータを入力する。キー入力部１４３は、例えば、通話を開始するときや通話を終了するときに使用される電話機能キー、メールモードやカメラモードといった動作モードに切り替えるときに使用されるモードキー、４方向に対応してメニュー項目などを選択するときに使用される方向キー、及び、電話番号や文字データを入力するときに使用されるダイヤルキーなどからなる。
【００５０】
ＥＥＰＲＯＭ（Electrically Erasable Programmable ROM）１４４は、電気的に書き込み及び消去可能な読み出し専用のメモリである。ＥＥＰＲＯＭ１４４には、通常の携帯電話端末の操作入力受付、通信、メール処理、ウェブ処理、表示、音声入出力、電話帳管理等、マイコン１２０が制御する各種動作のための制御プログラムが記憶されている。
【００５１】
記憶部１４５は、マイコン１２０が演算のために参照するデータ、及び、マイコン１２０が演算によって生成したデータなどの可変データが格納される、読み出し可能かつ書き込み可能なメモリである。
【００５２】
ＭｉｃｒｏＵＳＢ・Ｉ／Ｆ１４６は、ＵＳＢケーブルを接続する小型ＵＳＢコネクタ規格のコネクタを備えたインターフェースである。ＭｉｃｒｏＵＳＢ・Ｉ／Ｆ１４６は、ＵＳＢ出力端子１４７に接続されたＵＳＢケーブルを介して、ＭｉｃｒｏＵＳＢ・Ｉ／Ｆ１４６に接続されている機器との間でＵＳＢ規格に適合したデジタル信号を所定のプログラムに基づいて送受信する。
【００５３】
Ｂｌｕｅｔｏｏｔｈ・Ｉ／Ｆ１４８は、Ｂｌｕｅｔｏｏｔｈ規格で定められたプロトコルで無線信号を送受信するインターフェースである。
【００５４】
ＷＬＡＮ（Wireless LAN）・Ｉ／Ｆ１４９は、ＷＬＡＮ規格で定められたプロトコルで無線信号を送受信するインターフェースである。
【００５５】
ＨＤＭＩトランスミッタ１３０は、ＨＤＭＩ出力端子１１に接続されたシンク機器（テレビ２）にコンテンツを送信すると共に、テレビ２との間でＣＥＣコマンドを送受信するためのインターフェースである。
【００５６】
なお、本実施形態では、テレビ２との通信はＨＤＭＩケーブルを用いるものとするが、本発明はこれに限定されず、例えば、ＵＳＢケーブルを用いてもよい。また、有線ケーブルを用いた通信でなくてもよい。例えば、ＷＬＡＮやＢｌｕｅｔｏｏｔｈといった無線信号を用いた通信であってもよい。
【００５７】
また、図１における携帯電話端末１では、通信を行うインターフェースとして、ＨＤＭＩトランスミッタ１３０、ＭｉｃｒｏＵＳＢ・Ｉ／Ｆ１４６、Ｂｌｕｅｔｏｏｔｈ・Ｉ／Ｆ１４７、及びＷＬＡＮ・Ｉ／Ｆ１４９を備えたものを示しているが、これに限定されるものではなく、例えば、赤外線などの光通信を行うインターフェースを備えてもよい。
【００５８】
また、携帯電話端末１の通信を行うインターフェースは、ＨＤＭＩトランスミッタ１３０、ＭｉｃｒｏＵＳＢ・Ｉ／Ｆ１４６、Ｂｌｕｅｔｏｏｔｈ・Ｉ／Ｆ１４７、及びＷＬＡＮ・Ｉ／Ｆ１４９を全て備える必要は無く、少なくとも何れか１つを備えていればよい。
【００５９】
（通知部１５０）
通知部１５０は、マイコン１２０から指示された内容に従って、携帯電話端末１の状態を遷移させる手段である。通知部１５０は、着信用ＬＥＤ（発光部）１５１及びＬＣＤ表示部（表示部）１５２を備えている。
【００６０】
着信用ＬＥＤ（発光部）１５１は、着信を検知した際、点灯もしくは点滅することによりユーザに着信した旨を報知するインジケータである。また、着信用ＬＥＤ１５１は、マイコン１２０から指示された内容に従って、携帯電話端末１に接続されているテレビ２から、当該携帯電話端末１が選択された際、点灯もしくは点滅することによりユーザに当該携帯電話端末１が選択されたことを通知する。なお、点灯及び点滅時に使用される色や点滅時の動作は、マイコン１２０にて設定される。
【００６１】
ＬＣＤ（Liquid Crystal Display）表示部１５２は、マイコン１２０から供給される各種表示情報や映像／音声コーデック１１７から供給された、復号済みの映像信号を表示可能な表示画面、光源としてのバックライト、及び各ドライバ等で構成される表示部である。ＬＣＤ表示部１５２に表示される表示情報とは、着信情報、メール受信情報、画像や文字情報などである。
【００６２】
また、ＬＣＤ表示部１５２は、マイコン１２０から指示された内容に従って、携帯電話端末１に接続されている受信側機器から、当該携帯電話端末１が選択された際、バックライトを点灯もしくは点滅することによりユーザに当該携帯電話端末１が選択されたことを通知する。
【００６３】
また、ＬＣＤ表示部１５２は、マイコン１２０から指示された内容に従って、携帯電話端末１に接続されている受信側機器から、当該携帯電話端末１が選択された際、受信側機器から選択されたことを表示画面に表示することにより、ユーザに当該携帯電話端末１が選択されたことを通知する。
【００６４】
なお、バックライトの点滅時の動作、及び表示画面に表示される情報は、マイコン１２０にて設定される。
【００６５】
（マイコン１２０）
マイコン１２０は、携帯電話端末１の各部を制御する。マイコン１２０は、機器選択確認部１２１及び通知駆動部１２２を備えている。なお、図１に示す携帯電話端末１のマイコン１２０は、マイコン１２０が有する各種機能のうち、本発明に特有なものを表現したものであり、マイコン１２０が、図１に示されていない機能を有していてもよいことは言うまでもない。
【００６６】
機器選択確認部１２１は、受信側機器にコンテンツを供給する機器が、当該携帯電話端末１であるか否かを、受信側機器からＨＤＭＩトランスミッタを介して受信した通信接続に関する信号に基づいて、確認する手段（機器選択確認手段）である。機器選択確認部１２１は、上記確認結果を通知駆動部１２２に通知する。
【００６７】
通知駆動部１２２は、機器選択確認部１２１から通知された確認結果に基づいて、当該携帯電話端末１が、受信側機器から選択されたことをユーザが識別可能な状態に当該携帯電話端末１を遷移させるよう通知部１５０に指示する手段（通知駆動手段）である。
【００６８】
また、通知駆動部１２２は、機器選択確認部１２１から通知された確認結果に基づいて、当該携帯電話端末１が、受信側機器から選択されたことをユーザが識別可能な状態に遷移させた当該携帯電話端末１を、元の状態に遷移させる手段（終了手段）である。通知駆動部１２２は、受信側機器から当該送信側機器以外の機器が選択されたときに、当該携帯電話端末１を元の状態に遷移させる。
【００６９】
なお、「ユーザが識別可能な状態に当該携帯電話端末を遷移させる」という通知手段には、例えば、携帯電話端末１のインジケータの点灯、点滅、携帯電話端末１の表示画面の明滅、携帯電話端末１の音声出力、バイブレーションなど、ユーザが感覚的に識別し得るあらゆる手段が含まれ、通知駆動部１２２は、上記あらゆる手段の１つ、または組み合わせによって通知できるよう通知部１５０に指示する。
【００７０】
通知駆動部１２２が通知部１５０に指示する内容には、上記手段のほかに、インジケータの点滅の間隔、携帯電話端末１の表示画面の明滅の間隔、及び、インジケータや表示画面の点灯または点滅の色の種類などの情報が含まれる。
【００７１】
なお、上記インジケータの点滅の間隔、携帯電話端末１の表示画面の明滅の間隔、及び、インジケータや表示画面の点灯または点滅の色の種類は、通常着信時及びメール着信時などに使用されるものと異なっていてもよいし、同一であってもよい。異なっている場合、ユーザは、例えば、インジケータや表示画面の点灯または点滅を確認するという簡素な手法によって一目瞭然に、当該携帯電話端末１が受信側機器にコンテンツを供給していることを知ることが出来る。
【００７２】
また、上記インジケータの点滅の間隔、携帯電話端末１の表示画面の明滅の間隔、及び、インジケータや表示画面の点灯または点滅の色の種類が、通常着信時及びメール着信時などに使用されるものと同一の場合において、携帯電話端末をマナーモードにしているとき、音声着信やメールの着信に気づかない可能性がある。このような場合、ＨＤＭＩ接続中に音声着信やメール着信があったことを示す小音を出力することでユーザに音声着信やメール着信を知らせることも出来る。
【００７３】
〔ＨＤＭＩトランスミッタおよびＨＤＭＩレシーバの詳細〕
次に、図２を参照して、携帯電話端末１が備えているＨＤＭＩトランスミッタ１３０と、テレビ２が備えているＨＤＭＩレシーバ２３０とについて、もう少し詳しく説明する。図２は、ＨＤＭＩトランスミッタ１３０及びＨＤＭＩレシーバ２３０の構成を示したブロック図である。
【００７４】
ＨＤＭＩケーブルは、コンテンツ（映像信号および音声信号）を伝送するＴＭＤＳ（Transition Minimized Differential Signaling）ラインと、ＣＥＣ（Consumer Electronics Control）コマンドを伝送するＣＥＣラインと、ＥＤＩＤ（Extended Display Identification Data）を伝送するＤＤＣ（Display Data Channel）ラインと、ＨＰＤ（Hot Plug Detect）信号を伝送するＨＰＤラインと、接続検知のためにソース機器によって電圧（対グランド電位）が５Ｖに制御される５Ｖ電力ラインとを備えている。
【００７５】
（ＨＤＭＩトランスミッタ１３０の詳細）
ＨＤＭＩトランスミッタ１３０は、ＴＭＤＳトランスミッタ１３１、ＣＥＣ・Ｉ／Ｆ１３２、ＤＤＣ・Ｉ／Ｆ１３３、ＨＰＤ検知部１３４、及び、５Ｖ電力制御部１３５を備えている。ＨＤＭＩトランスミッタ１３０の各部はマイコン１２０によって制御される。
【００７６】
ＴＭＤＳトランスミッタ１３１は、ＨＤＭＩケーブルのＴＭＤＳラインを介してコンテンツを送信するためのインターフェースである。ＴＭＤＳトランスミッタ１３１が送信するコンテンツは、映像／音声コーデック１１７によって復号されたコンテンツである。
【００７７】
ＣＥＣ・Ｉ／Ｆ１３２は、ＨＤＭＩケーブルのＣＥＣラインを介して伝送されたＣＥＣコマンドを受信するためのインターフェースである。ＣＥＣ・Ｉ／Ｆ１３２が受信したＣＥＣコマンドは、マイコン１２０に供給される。また、ＣＥＣ・Ｉ／Ｆ１３２は、ＨＤＭＩケーブルのＣＥＣラインを介してＣＥＣコマンドを送信するためのインターフェースである。ＣＥＣ・Ｉ／Ｆ１３２が送信するＣＥＣコマンドは、マイコン１２０から供給される。
【００７８】
ＤＤＣ・Ｉ／Ｆ１３３は、ＨＤＭＩケーブルのＤＤＣラインを介して伝送されたＥＤＩＤを受信するためのインターフェースである。ＤＤＣ・Ｉ／Ｆ１３３が受信したＥＤＩＤは、マイコン１２０を介して記憶部１４５に記憶される。
【００７９】
ＨＤＭＩレシーバ２３０がＨＤＭＩトランスミッタ１３０に接続されたことを検知できるよう、５Ｖ電力制御部１３５は、ＨＤＭＩケーブルの５Ｖ電力ラインに接続される５Ｖ電力ピンの電圧を５Ｖに制御する。ＨＰＤ検知部１３４は、ＨＤＭＩケーブルのＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部１３４は、シンク機器との接続が確立されたことをマイコン１２０及びＤＤＣ・Ｉ／Ｆ１３３に通知する。ＤＤＣ・Ｉ／Ｆ１３３は、ＨＰＤ検知部１３４からこの通知を受けると、ＨＤＭＩレシーバ２３０のＤＤＣ・Ｉ／Ｆ２３３を介して、ＥＤＩＤ格納部２３６に格納されているＥＤＩＤを読み出す。
【００８０】
なお、ＨＤＭＩケーブルによって接続された機器間で送受信されるＣＥＣコマンドには、送信元および／または送信先の論理アドレスおよび／または物理アドレスが引数として含まれる。ＨＤＭＩケーブルによって接続された各機器は、ＣＥＣコマンドに含まれる論理アドレスおよび／または物理アドレスによって、そのＣＥＣコマンドの送信元および／または送信先を特定する。
【００８１】
ここで、論理アドレスは、機器種別（テレビ、レコーダ、プレーヤ、チューナ、オーディオの何れか）を示す０と１から１５までの自然数とによって表現される。例えば、テレビには論理アドレス「０」が割り振られ、１台目のレコーダには論理アドレス「１」が割り振られる、２台目のレコーダには論理アドレス「２」が割り振られる。
【００８２】
一方、物理アドレスは、ソース機器からのパスを示す４桁の０および自然数によって表現される。例えば、シンク機器（テレビ）のｘ番目のＨＤＭＩ入力端子に接続されたソース機器Ｘには物理アドレス（ｘ，０，０，０）が割り振られ、ソース機器Ｘのｙ番目のＨＤＭＩ入力端子に接続されたソース機器Ｙには物理アドレス（ｘ，ｙ，０，０）が割り振られる。
【００８３】
（ＨＤＭＩレシーバ２３０の詳細）
ＨＤＭＩレシーバ２３０は、ＴＭＤＳレシーバ２３１、ＣＥＣ・Ｉ／Ｆ２３２、ＤＤＣ・Ｉ／Ｆ２３３、ＨＰＤ制御部２３４、５Ｖ電力検知部２３５、及び、ＥＤＩＤ格納部２３６を備えている。ＨＤＭＩレシーバ２３０の各部は、テレビ２のＣＰＵによって制御される。
【００８４】
ＴＭＤＳレシーバ２３１は、ＨＤＭＩケーブルのＴＭＤＳラインを介して伝送されたコンテンツを受信するためのインターフェースである。
【００８５】
ＣＥＣ・Ｉ／Ｆ２３２は、ＨＤＭＩケーブルのＣＥＣラインを介して伝送されたＣＥＣコマンドを受信するためのインターフェースである。また、ＣＥＣ・Ｉ／Ｆ２３２は、ＨＤＭＩケーブルのＣＥＣラインを介してＣＥＣコマンドを送信するためのインターフェースである。
【００８６】
ＤＤＣ・Ｉ／Ｆ２３３は、ＨＤＭＩケーブルのＤＤＣラインを介してＥＤＩＤを送信するためのインターフェースである。ＤＤＣ・Ｉ／Ｆ２３３が送信するＥＤＩＤは、ＥＤＩＤ格納部２３６から読み出される。
【００８７】
５Ｖ電力検知部２３５は、ＨＤＭＩケーブルの５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ電力検知部２３５は、ＨＤＭＩトランスミッタ１３０との接続が確立されたことをテレビ２のＣＰＵ及びＨＰＤ制御部２３４に通知する。ＨＰＤ制御部２３４は、５Ｖ電力検知部２３５からこの通知を受けると、ＨＤＭＩケーブルのＨＰＤラインが接続されるＨＰＤピンの電圧をＨレベルに立ち上げる。ＨＤＭＩトランスミッタ１３０は、ＨＤＭＩケーブルのＨＰＤラインに接続されるＨＰＤピンの電圧がＨレベルに立ち上がると、ＨＤＭＩレシーバ２３０のＥＤＩＤ格納部２３６に格納されたＥＤＩＤを、ＤＤＣラインを介して読み出す。
【００８８】
〔システムの構成の具体例１〕
図３（ａ）は、図１の携帯電話端末１を含むシステム１０の構成例を示す概略図である。図３（ａ）の構成例では、受信側機器（シンク機器）であるテレビ２のＨＤＭＩ入力端子１（入力１）に対し、送信側機器（ソース機器）である携帯電話端末１ａが接続されており、テレビ２のＨＤＭＩ入力端子２（入力２）に携帯電話端末１ｂが接続されている。また、シンク機器であるテレビ２には、物理アドレス（０，０，０，０）が割り振られ、テレビ２の入力１に接続された携帯電話端末１ａには、物理アドレス（１，０，０，０）が割り振られ、テレビ２の入力２に接続された携帯電話端末１ｂには、物理アドレス（２，０，０，０）が割り振られる。
【００８９】
（通知処理）
図４は、携帯電話端末１がテレビ２とＨＤＭＩ接続されている場合において、テレビ２が出力するコンテンツを、当該携帯電話端末１がテレビ２に供給する機器であると、テレビ２から選択されたことを確認し、当該携帯電話端末１が選択されたことをユーザが識別可能な状態に当該携帯電話端末１の状態を遷移させる通知処理の流れを示すフローチャートである。なお、図４のフローチャートでは、通知手段として、着信用ＬＥＤ（インジケータ）１５１を用いて通知する。
【００９０】
ステップＳ１：ＨＤＭＩトランスミッタ１３０のＤＤＣ・Ｉ／Ｆ１３３は、ＨＤＭＩケーブルのＤＤＣラインを介して伝送されたＥＤＩＤを受信し、マイコン１２０を介して記憶部１４５に記憶する。マイコン１２０は、記憶部１４５に記憶したＥＤＩＤより、該携帯電話端末１の物理アドレスを取得する。物理アドレスが取得できない場合は、ステップＳ１を繰り返す。
【００９１】
ステップＳ２：マイコン１２０は、ＨＤＭＩトランスミッタ１３０のＣＥＣ・Ｉ／Ｆ１３２がテレビ２から、通信接続に関する信号である<Set Stream Path>コマンドを受信したか否かを確認する。受信していない場合、受信するまでステップＳ２を繰り返す。なお、<Set Stream Path>コマンドは、シンク機器がソース機器に対して、コンテンツ（ＡＶストリームデータ等）の出力を指示するコマンドである。
【００９２】
ステップＳ３：マイコン１２０の機器選択確認部１２１は、ステップＳ２で<Set Stream Path>コマンドを受信した場合、<Set Stream Path>コマンドに基づいて、テレビ２にコンテンツを供給する機器が自器であることを確認する。具体的には、<Set Stream Path>コマンドの引数に含まれる物理アドレスが、ステップＳ１で取得した物理アドレスと一致するか否かを判定する。一致している場合、ステップＳ４を実行する。一致していない場合、ステップＳ５を実行する。
【００９３】
ステップＳ４：通知駆動部１２２は、ステップＳ３の確認結果に基づいて、イルミネーションをＯＮにするよう、通知部１５０の着信用ＬＥＤ１５１に指示する。着信用ＬＥＤ１５１は、上記指示に従い、イルミネーションをＯＮにする。
【００９４】
ステップＳ５：通知駆動部１２２は、ステップＳ３の確認結果に基づいて、通知部１５０の着信用ＬＥＤ１５１がイルミネーションをＯＮにしていた場合、イルミネーションをＯＦＦにするよう、通知部１５０の着信用ＬＥＤ１５１に指示する。着信用ＬＥＤ１５１は、上記指示に従い、イルミネーションをＯＦＦにする。
【００９５】
ステップＳ６：マイコン１２０は、ＨＤＭＩトランスミッタ１３０のＨＰＤ検知部１３４がＨＰＤピンの電圧がＬレベルになったという通知を受信しているか否かを判定し、受信していない（ＨＤＭＩ接続が終了していない）場合、ステップＳ２に戻り、<Set Stream Path>コマンドの再受信を待つ。受信している（終了している）場合、通知処理を終了する。
【００９６】
ここで、ＨＤＭＩ接続が終了しているか否かの判定（ステップＳ６）は、ステップＳ４もしくはステップＳ５の後に行うフローチャートを説明したが、ＨＤＭＩ接続が終了しているか否かの判定のタイミングは、これに限定されず、ＨＤＭＩトランスミッタ１３０のＨＰＤ検知部１３４がＨＰＤピンの電圧がＬレベルになったタイミングでマイコン１２０はＨＤＭＩ接続が終了しているとの判定を行うことが可能である。
【００９７】
また、イルミネーションがＯＮの状態で、ＨＤＭＩ接続が終了した場合、マイコン１２０の通知駆動部１２２は、イルミネーションをＯＦＦにするよう、通知部１５０の着信用ＬＥＤ１５１に指示する。着信用ＬＥＤ１５１は、上記指示に従い、イルミネーションをＯＦＦにする。
【００９８】
図５は、テレビ２に有線もしくは無線通信で接続された携帯電話端末１ａ及び携帯電話端末１ｂにおける、通知処理実行時の携帯電話端末１ａ及び携帯電話端末１ｂの動作例を示す図である。（ａ）は、テレビ２にコンテンツを供給している機器が携帯電話端末１ａである場合の動作例であり、（ｂ）は、テレビ２にコンテンツを供給している機器が携帯電話端末１ｂである場合の動作例である。（ｃ）は、テレビ２にコンテンツを供給している機器が、携帯電話端末１ａ及び携帯電話端末１ｂではない場合の動作例を示す。
【００９９】
図５（ａ）〜（ｃ）に示すように、テレビ２に接続されている携帯電話端末１ａ及び携帯電話端末１ｂが同メーカ、同機種の場合、テレビ２に表示される入力切替メニューは図９のような入力切替メニュー９０が表示される。しかし、テレビ２にコンテンツを供給している機器の着信用ＬＥＤ１５１のみが点灯し、コンテンツを供給していない機器の着信用ＬＥＤ１５１は、点灯及び点滅しない。
【０１００】
このように、テレビ２にコンテンツを供給している機器がどの機器であるのかを、ユーザは、携帯電話端末１ａ及び携帯電話端末１ｂのコンテンツとテレビ２に表示されたコンテンツとを見比べることなく、通知部１５０の着信用ＬＥＤ１５１を確認することで知ることが出来る。
【０１０１】
図３（ｂ）は、図３（ａ）のシステム１０における通知処理の実行例を示すシーケンス図である。図３（ｂ）では、図３（ａ）に示すように、ユーザによってテレビ２にコンテンツを供給している機器を携帯電話端末１ａから携帯電話端末１ｂに切り替えた場合における、通知処理の実行例を示す。なお、図３（ｂ）で楕円は、楕円が記載されている機器が出力するコマンドを、システム１０の全ての機器に送信する（以下、ブロードキャストと呼ぶ）ことを意味している。
【０１０２】
また、本例では、図４のステップＳ２で説明した<Set Stream Path>コマンドの前に通信ルートを切り替えるコマンド（通信接続に関する信号）である<Routing Change>コマンドを送信しているが、テレビ２にコンテンツを供給している機器を切り替える必要が無い場合は、<Routing Change>コマンドを送信しなくてもよい。
【０１０３】
ステップＳ１１：テレビ２にコンテンツを供給する機器を、携帯電話端末１ａから携帯電話端末１ｂに切り替える入力切替指示を、ユーザがテレビ２に行う。
【０１０４】
ステップＳ１２：テレビ２は、<Routing Change>コマンドを携帯電話端末１ａ及び携帯電話端末１ｂの物理アドレスを引数としてブロードキャストする。
【０１０５】
ステップＳ１３：テレビ２は、ステップＳ１２で通知された携帯電話端末１ｂの物理アドレスを引数として<Set Stream Path>コマンドをブロードキャストする。
【０１０６】
ステップＳ１４：携帯電話端末１ｂは、<Set Stream Path>の応答コマンドであり、コンテンツを出力することを知らせる<Active Source>コマンドを携帯電話端末１ｂの物理アドレスを引数としてブロードキャスト送信する。
【０１０７】
ここで、携帯電話端末１ｂは、通信接続に関する信号として、<Routing Change>コマンド、もしくは、<Set Stream Path>コマンドを受信したタイミングで、図５（ｂ）に示すように、インジケータを点灯させる。これにより、携帯電話端末１ｂは、テレビ２からコンテンツを供給する機器が自器であることを確認し、確認したことをテレビ２に知らせない（ＡＣＫを返さない）通信形態においても、ユーザに自器が選択されたことを通知することが出来る。
【０１０８】
また、携帯電話端末１ｂは、<Routing Change>コマンド、もしくは、<Set Stream Path>コマンドを受信した後、テレビ２にＡＣＫを返したタイミングで、図５（ｂ）に示すように、インジケータを点灯させてもよい。これにより、テレビ２と携帯電話端末１ｂの通信が正常に行われていることを確認できたタイミングで、ユーザに自器が選択されたことを通知することが出来る。
【０１０９】
さらに、携帯電話端末１ｂは、<Active Source>コマンドをブロードキャスト送信するタイミングで、図５（ｂ）に示すように、インジケータを点灯させてもよい。
【０１１０】
なお、携帯電話端末１ｂがテレビ２にＡＣＫを返すタイミング、または<Active Source>コマンドをブロードキャスト送信するタイミングで、インジケータを点灯させる形態であっても、通信接続に関する信号である<Set Stream Path>コマンドの受信確認に基づいて、通知駆動部１２２が通知部１５０に通知動作を行わせていることに変わりはない。
【０１１１】
〔システムの構成の具体例２〕
図６（ａ）は、図３（ａ）に示したシステム１０の変形例を示す概略図である。図６の構成例では、システム２０は、シンク機器であるテレビ２のＨＤＭＩ入力端子１（入力１）に対し、リピータ機器であるＡＶアンプ３が接続されており、テレビ２のＨＤＭＩ入力端子２（入力２）に携帯電話端末１ｃが接続されている。また、ＡＶアンプ３のＨＤＭＩ入力端子３（入力３）には、携帯電話端末１ａが接続されており、ＡＶアンプ３のＨＤＭＩ入力端子４（入力４）には、携帯電話端末１ｂが接続されている。
【０１１２】
シンク機器であるテレビ２には、物理アドレス（０，０，０，０）が割り振られ、テレビ２の入力１に接続されたＡＶアンプ３には、物理アドレス（１，０，０，０）が割り振られ、テレビ２の入力２に接続された携帯電話端末１ｃには、物理アドレス（２，０，０，０）が割り振られる。また、ＡＶアンプ３の入力３に接続された携帯電話端末１ａには、物理アドレス（１，１，０，０）が割り振られ、ＡＶアンプ３の入力２に接続された携帯電話端末１ｂには、物理アドレス（１，２，０，０）が割り振られる。
【０１１３】
ここで、図６（ａ）において、ＡＶアンプ３と通信が確立している機器は、携帯電話端末１ａである。
【０１１４】
（通知処理）
図６（ｂ）は、図６（ａ）のシステム２０における通知処理の実行例を示すシーケンス図である。図６（ｂ）では、図６（ａ）に示すように、ユーザによってテレビ２にコンテンツを供給している機器を携帯電話端末１ｃから携帯電話端末１ａに切り替えた場合における、通知処理の実行例を示す。
【０１１５】
ステップＳ２１：ユーザがテレビ２にコンテンツを供給する機器を、携帯電話端末１ｃから携帯電話端末１ａに切り替えることを意図して、テレビ２の入力２を入力１へ切り替える入力切替指示をテレビ２に行う。ここで、テレビ２の入力切替は、テレビ２本体、及びテレビ２に付属のリモコンを用いて行ってもよいし、ＨＤＭＩリンク機能（ＣＥＣの独自拡張機能）を用いて、ＡＶアンプ３本体、ＡＶアンプ３に付属のリモコン、及び、携帯電話端末１の入力切替メニューから切り替えることも可能である。
【０１１６】
ステップＳ２２：テレビ２は、通信ルートを切り替える<Routing Change>コマンドをブロードキャストする。ここで、通信ルートを切り替える<Routing Change>コマンドは、階層ごとに通信ルートを切り替えるコマンドであるため、引数で指定する物理アドレスの階層は、同階層である。そのため、<Routing Change>コマンドは、切り替え元の携帯電話端末１ｃと同階層にある携帯電話端末１ａと接続しているＡＶアンプ３の物理アドレスを用いる。つまり、テレビ２は、携帯電話端末１ｃの物理アドレスとＡＶアンプ３の物理アドレスとを引数として<Routing Change>コマンドをブロードキャストする。
【０１１７】
ステップＳ２３：ＡＶアンプ３は、ＡＶアンプ３に接続されており、ＡＶアンプ３と通信経路が確立している機器の物理アドレスを引数とする<Routing Information>コマンドをブロードキャストする。つまり、本例では、携帯電話端末１ａの物理アドレスを引数とする<Routing Information>コマンドをブロードキャストする。
【０１１８】
ステップＳ２４：テレビ２は、ステップＳ２３で通知された携帯電話端末１ａの物理アドレスを引数として<Set Stream Path>コマンドをブロードキャストする。
【０１１９】
ステップＳ２５：携帯電話端末１ａは、<Set Stream Path>の応答コマンドである<Active Source>コマンドを携帯電話端末１ａの物理アドレスを引数としてブロードキャストする。
【０１２０】
以上により、テレビ２にコンテンツを出力する機器が、直接接続されていない携帯電話端末１ａであると選択された場合においても、携帯電話端末１ａに携帯電話端末１ａの物理アドレスを含む<Set Stream Path>コマンドが送信されるため、携帯電話端末１ａは、自器が選択されたことを確認することが出来、ユーザに自器が選択されたことを通知することが出来る。
【０１２１】
なお、通知駆動部１２２が通知部１５０に通知動作を行わせるタイミングは、具体例１と同様に、ステップＳ２２〜Ｓ２５の各処理が行われるいずれかのタイミングであってよい。
【０１２２】
〔システムの構成の具体例３〕
図７（ａ）は、図６（ａ）と同様に、図３（ａ）に示したシステム１０の変形例を示す概略図である。ここで、図７（ａ）において、テレビ２と通信が確立している機器は、ＡＶアンプ３であり、ＡＶアンプ３と通信が確立している機器は、携帯電話端末１ａである。
【０１２３】
（通知処理）
図７（ｂ）は、図７（ａ）のシステム２０における通知処理の実行例を示すシーケンス図である。図７（ｂ）では、図７（ａ）に示すように、ユーザによってテレビ２にコンテンツを供給している機器を携帯電話端末１ａから携帯電話端末１ｂに切り替えた場合における、通知処理の実行例を示す。
【０１２４】
ステップＳ３１：ユーザがテレビ２にコンテンツを供給する機器を、携帯電話端末１ａから携帯電話端末１ｂに切り替えることを意図して、ＡＶアンプ３の入力３を入力４に切り替える入力切替指示をテレビ２に行う。ここで、テレビ２の入力切替は、テレビ２本体、及びテレビ２に付属のリモコンを用いて行ってもよいし、ＨＤＭＩリンク機能を用いて、ＡＶアンプ３本体、ＡＶアンプ３に付属のリモコン、及び、携帯電話端末１の入力切替メニューから切り替えることも可能である。
【０１２５】
ステップＳ３２：テレビ２は、通信ルートを切り替える<Routing Change>コマンドをブロードキャストする。テレビ２は、携帯電話端末１ａの物理アドレスと携帯電話端末１ｂの物理アドレスとを引数として<Routing Change>コマンドをブロードキャストする。
【０１２６】
ステップＳ３３：テレビ２は、ステップＳ３２で通知した携帯電話端末１ｂの物理アドレスを引数として<Set Stream Path>コマンドをブロードキャストする。
【０１２７】
ステップＳ３４：携帯電話端末１ｂは、<Set Stream Path>の応答コマンドである<Active Source>コマンドを携帯電話端末１ｂの物理アドレスを引数としてブロードキャストする。
【０１２８】
以上により、テレビ２にコンテンツを出力する機器が、直接接続されていない携帯電話端末１ａから携帯電話端末１ｂに切り替わった場合においても、携帯電話端末１ｂに携帯電話端末１ｂの物理アドレスを含む<Set Stream Path>コマンドが送信されるため、携帯電話端末１ｂは、自器が選択されたことを確認することが出来、ユーザに自器が選択されたことを通知することが出来る。
【０１２９】
なお、通知駆動部１２２が通知部１５０に通知動作を行わせるタイミングは、具体例１と同様に、ステップＳ３２〜Ｓ３４の各処理が行われるいずれかのタイミングであってよい。
【０１３０】
また、本実施形態では、テレビ２と携帯電話端末１がＨＤＭＩ接続されている場合について説明したが、本発明はこれに限定されず、ＵＳＢ、Ｂｌｕｅｔｏｏｔｈ、ＷＬＡＮなどＨＤＭＩ以外の方式で接続してもよい。ＢｌｕｅｔｏｏｔｈやＷＬＡＮといった無線の場合、テレビ２の入力切替をＨＤＭＩ入力端子ではなく、無線接続用のチャネルを切り替えることでテレビ２にコンテンツを供給する機器を切り替えることが可能である。
【０１３１】
〔プログラム及び記録媒体〕
最後に、携帯電話端末１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３２】
後者の場合、携帯電話端末１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯電話端末１の制御プログラムのプログラムコード（実行形式プログラム、中間コードプログラム、ソースプログラム）をコンピュータで読み取り可能に記録した記録媒体を、上記携帯電話端末１に供給し、そのコンピュータ（またはＣＰＵやＭＰＵ）が記録媒体に記録されているプログラムコードを読み出し実行することによっても、達成可能である。
【０１３３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１３４】
また、携帯電話端末１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１３５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３６】
本発明は、有線又は無線通信によって受信側機器に接続される送信側機器、特に、携帯型の送信側機器に好適に利用することができる。
【符号の説明】
【０１３７】
１          携帯電話端末（送信側機器）
１ａ〜１ｃ  携帯電話端末（送信側機器）
１１          ＨＤＭＩ出力端子
１１１        ＲＦ部
１１２        レシーバ
１１３        マイク
１１４        カメラモジュール
１１５        ベースバンド部
１１６        音声コーデック
１１７        映像／音声コーデック
１２０        マイコン
１２１          機器選択確認部（機器選択確認手段）
１２２          通知駆動部（通知駆動手段、終了手段）
１３０        ＨＤＭＩトランスミッタ
１３１          ＴＭＤＳトランスミッタ
１３２          ＣＥＣ・Ｉ／Ｆ
１３３          ＤＤＣ・Ｉ／Ｆ
１３４          ＨＰＤ検知部
１３５          ５Ｖ電力制御部
１４３        キー入力部
１４４        ＥＥＰＲＯＭ
１４５        記憶部
１４６        ＭｉｃｒｏＵＳＢ・Ｉ／Ｆ
１４７        ＵＳＢ出力端子
１４８        Ｂｌｕｅｔｏｏｔｈ・Ｉ／Ｆ
１４９        ＷＬＡＮ・Ｉ／Ｆ
１５０        通知部（通知手段）
１５１          着信用ＬＥＤ（発光部）
１５２          ＬＣＤ表示部（表示部）
２          テレビ（受信側機器）
３          ＡＶアンプ
【図１】
2012019463.tif 000003
【図２】
2012019463.tif 000004
【図３】
2012019463.tif 000005
【図４】
2012019463.tif 000006
【図５】
2012019463.tif 000007
【図６】
2012019463.tif 000008
【図７】
2012019463.tif 000009
【図８】
2012019463.tif 000010
【図９】
2012019463.tif 000011